(57)【要約】【課題】高速な原稿読み取りを実現しつつ、使用者にうるさいと不快感も与えず、画像形成装置の総合的な静音性を高める。【解決手段】画像形成装置は、用紙を搬送して用紙に印刷を行う印刷部と、載置された原稿を１枚ずつ自動的に搬送する原稿搬送部を含み、原稿を読み取って画像データを生成する原稿読取部と、を含み、前記原稿読取部は、予め定められた通常速度で原稿の読み取りを行う通常読取モードと、通常速度よりも遅い静音速度で原稿の読み取り行う静音読取モードを有し、前記印刷部が印刷を行っていないとき、前記静音読取モードで原稿の読み取りを行い、前記印刷部が印刷を行っているとき、前記通常読取モードで原稿の読み取りを行う。【選択図】図６
2014216856.tif 000002
【特許請求の範囲】
【請求項１】
用紙を搬送して用紙に印刷を行う印刷部と、
載置された原稿を１枚ずつ自動的に搬送する原稿搬送部を含み、原稿を読み取って画像データを生成する原稿読取部と、を備え、
前記原稿読取部は、原稿を読み取るとき、予め定められた通常速度で原稿の読み取りを行う通常読取モードと、通常速度よりも遅い静音速度で原稿の読み取り行う静音読取モードを有し、前記原稿搬送部が搬送する原稿を読み取って得られた画像データに基づき前記印刷部が印刷を行うコピージョブのとき、前記印刷部が原稿読み取りで得られた画像データに基づき印刷を開始するまで前記静音読取モードで原稿の読み取りを行い、前記印刷部が原稿読み取りで得られた画像データに基づき印刷を開始すると、前記通常読取モードで原稿の読み取りを行うことを特徴とする画像形成装置。
【請求項２】
前記原稿搬送部が搬送する原稿を読み取って得られた画像データに基づき前記印刷部が印刷を行うコピージョブのとき、
前記原稿読取部は、原稿の搬送を開始する時点で先行する印刷を前記印刷部が実行していれば、前記印刷部が原稿読み取りで得られた画像データに基づき印刷を開始する前でも前記通常読取モードで通常速度で原稿を搬送して読み取りを行うことを特徴とする請求項１に記載の画像形成装置。
【請求項３】
前記印刷部は、感光体ドラムと、画像データに基づき走査、露光を行って前記感光体ドラムに静電潜像を形成する露光装置を含み、トナー像を形成する画像形成部を備え、
前記露光装置は、前記感光体ドラムの走査、露光のためのポリゴンミラーを回転させるポリゴンモーターを含み、
前記ポリゴンモーターは、印刷の最終ページの印刷に必要な走査、露光が完了すると、停止し始めることを特徴とする請求項１又は２に記載の画像形成装置。
【請求項４】
使用者によるタッチ操作による設定操作を受け付け、前記タッチ操作がなされると操作音を発する発音部を含む操作部を備え、
前記発音部は、前記原稿読取部と前記印刷部の何れか一方、又は、両方がジョブ実行中の間の操作音を、ジョブを実行していないときよりも大きくすることを特徴とする請求項１乃至３の何れか１項に記載の画像形成装置。
【請求項５】
前記印刷部は、印刷実行中に回転するファンを含み、また、予め定められた通常速度で印刷を実行する通常印刷モードと、前記通常速度よりも遅い速度で印刷を実行する静音印刷モードを有し、
前記操作部は、前記通常印刷モードで印刷を行うか、前記静音印刷モードで印刷を行うかのモード設定を受け付け、
前記印刷部は、前記モード設定に基づいた速度で印刷を行い、
前記ファンは、前記静音印刷モードで印刷するとき、前記通常印刷モードで印刷するときよりも早い時点で停止することを特徴とする請求項４に記載の画像形成装置。
【請求項６】
前記操作部は、前記通常印刷モードで印刷を行うか、前記静音印刷モードで印刷を行うかのモード設定を受け付け、
実行待ちのジョブ数があり、印刷すべき残りのページ数が予め定められた基準ページ数をこえたとき、
前記印刷部は、前記静音印刷モードで印刷を行うモード設定がなされていても、印刷速度を切り替えて、前記通常印刷モードで印刷を行うことを特徴とする請求項４又は５に記載の画像形成装置。
【請求項７】
印刷を伴わずに原稿を読み取るとき、前記操作部は、前記通常読取モードで読み取りを行うか、前記静音読取モードで読み取りを行うかのモード設定を受け付け、
前記原稿読取部は、前記モード設定に基づいた速度で原稿を読み取り、
印刷を伴わずに前記静音読取モードで原稿読み取りを行っていて、読み取り開始から連続して給紙した原稿の枚数が予め定められた基準読取枚数を超えたとき、
前記原稿読取部は、読取速度を切り替え、前記通常読取モードで原稿の読み取りを行うことを特徴とする請求項４乃至６の何れか１項に記載の画像形成装置。
【請求項８】
前記印刷部は、用紙を供給する給紙部を含み、
前記給紙部と前記原稿搬送部は、異なるタイミングで用紙と原稿の送り出しを開始することを特徴とする請求項１乃至７の何れか１項に記載の画像形成装置。
【発明の詳細な説明】
【技術分野】
【０００１】
本発明は、印刷部と原稿の読み取りを行う部分を含む画像形成装置に関する。
【背景技術】
【０００２】
複写機、複合機のような画像形成装置では、ジョブ実行に伴う音が生ずる。あまりに大きな音が画像形成装置から生ずると、騒音となり、使用者に不快感を与える。また、新たな画像形成装置を導入するとき、ジョブ実行時に生ずる音の大きさの程度が検討事項となる場合もある。そのため、ジョブ実行時に画像形成装置から生ずる音は、できるだけ小さい方が好ましい。
【０００３】
具体的に、特許文献１には、原稿を読取る読取り動作を行い、記録紙収納部から記録紙を画像記録部へ搬送して読取った画像を記録する画像形成装置であり、記録動作を通常よりも静かに行う静音モードを有し、通常時は読取り動作が完了する前に前記記録紙の搬送を開始して記録を行い、前記静音モードが選択されたことに応じて、前記読取り動作が完了した後に前記記録紙の搬送を開始して記録を行う画像形成装置が記載されている。この構成により、稼働音低減のための切り替え手段（静音モードのスイッチ２５）に対する操作に応じ、稼働音の騒音を低減しようとする（特許文献１：補正後の請求項３、請求項６等参照）。
【先行技術文献】
【特許文献】
【０００４】
【特許文献１】特開２００４−１６７７９８号公報
【発明の概要】
【発明が解決しようとする課題】
【０００５】
画像形成装置には、原稿を読み取って画像データを得るため、原稿読取部（スキャナ）が設けられるときがある。そして、１枚ずつ原稿をセットせずにすむように、原稿読取部には、載置された原稿の束を一枚ずつ自動的に搬送する機能を備えるものがある。原稿読取部は、自動的、連続的に搬送される各原稿を読み取って画像データを生成する。
【０００６】
原稿を読み取るとき、原稿読取部から原稿搬送に起因する音が生ずる。例えば、原稿読取部から生ずる音には、送り出し音や捌き音のような原稿の給紙時に生ずる音や、搬送される原稿が搬送ガイドに衝突したり擦れたりする音や、原稿を搬送するモーターの駆動音や、原稿を搬送するためにモーターにより回転させられるローラーのような回転体やギアの様な機械要素の動作に起因して生ずる音などがある。
【０００７】
このように、原稿の読み取りに起因した音が生ずるところ、画像形成装置にジョブを実行させても、使用者にうるさいと不快感を与えないようにするには、原稿読取部から生ずる音を抑えることが好ましい。原稿の搬送速度が速ければ速いほど、原稿の読み取り動作に起因する音は大きくなる。そのため、原稿の読取速度（搬送速度）を遅くするほど、原稿読取部から生ずる音を抑えることができる。
【０００８】
しかし、原稿の搬送速度を落として読取速度を遅くすると、単位時間あたりの原稿の読み取り枚数は少なくなり、生産性は低下する。従って、原稿搬送部の処理能力（読取速度）を優先すれば、使用者にうるさいと不快感を与えてかねず、一方で、静音性を重視すれば、原稿搬送部の生産性は低くなる問題がある。
【０００９】
特許文献１記載の画像形成装置では、画像形成装置の稼働音を抑える静音モードを有する。しかし、特許文献１記載の画像形成装置は、稼働音を低減する静音モードのとき、読取り動作が完了した後に記録紙の搬送を開始して記録が行われる構成である。そのため、静音モードでは、原稿を搬送して原稿の読み取りを行う速度自体は、通常モードのときと変わらない。従って、原稿の読み取り動作のみが行われている状態では使用者にうるさいと不快感を与えないように原稿搬送速度は遅くならない。従って、特許文献１記載の技術では、原稿読み取りのとき使用者にうるさいと不快感を与える場合があるという問題を解決できない。また、原稿読取部の動作により生ずる音をうるさいと感じさせないことと、原稿読取部での生産性（高速な読み取り性能）を確保することの両立が難しいという問題を解決できない。
【００１０】
本発明は、上記の問題点に鑑み、画像形成装置で、高速な原稿読み取りを実現しつつ、使用者にうるさいと不快感も与えず、画像形成装置の総合的な静音性を高める。
【課題を解決するための手段】
【００１１】
用紙搬送やトナー像形成のような印刷動作（印刷ジョブ）を実行していない状態で原稿の搬送を高速に行うと、原稿搬送に伴い生ずる音が目立ち、使用者にうるさいと不快感を与えやすい。また、画像形成装置の上部に設けられるので、原稿読取部は、使用者の耳に近い。そのため、未印刷状態での原稿搬送により生ずる音は、耳に付きやすい傾向がある。一方、印刷ジョブが行われると、給紙や用紙搬送や画像形成のために音が生ずる。そして、印刷部から生ずる音の方が原稿読取部から生ずる音よりも大きいので、印刷中、原稿を高速搬送しても、印刷部から生ずる音に原稿読取部から生ずる音（原稿の読み取りに起因する音）がまぎれ、原稿読取部から生ずる音が気にならなくなる。
【００１２】
そこで、本発明に係る画像形成装置は、用紙を搬送して用紙に印刷を行う印刷部と、載置された原稿を１枚ずつ自動的に搬送する原稿搬送部を含み、原稿を読み取って画像データを生成する原稿読取部と、を備え、前記原稿読取部は、原稿を読み取るとき、予め定められた通常速度で原稿の読み取りを行う通常読取モードと、通常速度よりも遅い静音速度で原稿の読み取り行う静音読取モードを有し、前記原稿搬送部が搬送する原稿を読み取って得られた画像データに基づき前記印刷部が印刷を行うコピージョブのとき、前記印刷部が原稿読み取りで得られた画像データに基づき印刷を開始するまで前記静音読取モードで原稿の読み取りを行い、前記印刷部が原稿読み取りで得られた画像データに基づき印刷を開始すると、前記通常読取モードで原稿の読み取りを行うこととした。
【発明の効果】
【００１３】
本発明の画像形成装置によれば、原稿の読み取り開始時点では、低速で原稿読み取りを行って、原稿読取部から生ずる音を抑える。これにより、印刷部が動作していない状態で原稿の読み取りを行っても、原稿読取部から生ずる音によって、使用者にうるさいと不快感を与えない。そして、印刷部から生ずる音にまぎれることで、原稿読取部から生ずる音が気にならない状態となってから（印刷部が印刷を開始してから）、原稿の読取速度（原稿搬送速度）を上げる。従って、平均的に高速な原稿読み取りを実現しつつ、常時、原稿読取部から生ずる音によって、使用者にうるさいと不快感を与えない。このように、総合的な静音性が高められた画像形成装置を提供することができる。
【図面の簡単な説明】
【００１４】
【図１】複合機を示す図である。
【図２】原稿読取部を示す図である。
【図３】操作パネルを示す図である。
【図４】複合機のハードウェア構成を示す図である。
【図５】ジョブの実行速度を説明するための図である。
【図６】印刷部の状態にあわせた読取速度の変更を説明するためのタイミングチャートである。
【図７】原稿の枚数が少ないときの動作を示すタイミングチャートである。
【図８】原稿読取部の読取モードの遷移の流れを示すフローチャートである。
【図９】ポリゴンモーターの回転停止を説明するためのタイミングチャートである。
【図１０】原稿読取部での原稿の送り出し開始と、給紙部からの用紙の給紙開始のずれを示す図である。
【図１１】印刷が行われているか否かに応じた操作音量の調整を説明するための図である。
【図１２】印刷のモードに応じたファンの回転制御を説明するための図である。
【図１３】印刷速度の自動変更の流れを説明するためのフローチャートである。
【図１４】読取速度の自動変更の流れを説明するためのフローチャートである。
【発明を実施するための形態】
【００１５】
以下、本発明の実施形態を図１〜図１４を用いて説明する。以下の説明では、原稿読取部１と印刷部２を含む複合機１００（画像形成装置に相当）を例に挙げ説明する。但し、本実施の形態に記載されている構成、配置等の各要素は、発明の範囲を限定するものではなく単なる説明例にすぎない。
【００１６】
（画像形成装置の概略）
まず、図１を用いて、実施形態に係る複合機１００の概略を説明する。図１は、複合機１００を示す図である。
【００１７】
図１に示すように、複合機１００の正面前方には、複合機１００に関して各種設定を行うための操作パネル３（操作部に相当）が設けられる（詳細は後述）。又、図１に示すように、本実施形態の複合機１００は、上部に、画像読取部１ａと原稿搬送部１ｂを含む原稿読取部１が設けられる。又、複合機１００の内部に印刷部２として、給紙部４ａ、搬送部４ｂ、画像形成部５ａ、中間転写部５ｂ、定着部５ｃ、排出搬送部４ｃ、両面搬送部４ｄを含む。
【００１８】
複数の給紙部４ａは、それぞれ印刷に用いる用紙Ｐを収容する。各給紙部４ａは、それぞれ回転駆動する給紙ローラー４１を含む。印刷のとき、何れかの給紙ローラー４１が回転し、１枚ずつ搬送部４ｂに用紙Ｐを送り込む。
【００１９】
搬送部４ｂは、用紙Ｐの案内のためのガイド板や、回転して用紙Ｐを搬送する搬送ローラー対４２ａ、４２ｂ、４２ｃや、形成されたトナー像の転写タイミングに合わせ用紙Ｐを送り出すレジストローラー対４３を含む。
【００２０】
画像形成部５ａは、複数の画像形成ユニット５０（ブラック用の５０Ｂｋ、イエロー用の５０Ｙ、シアン用の５０Ｃ、マゼンタ用の５０Ｍ）と露光装置５１を含む。各画像形成ユニット５０は、感光体ドラム、帯電装置、現像装置、清掃装置などを含む。露光装置５１は、画像データに基づき、レーザー光を点消灯しつつ出力し、各感光体ドラムを走査露光する。各画像形成ユニット５０と露光装置５１により、感光体ドラムの周面上にトナー像が形成される。
【００２１】
中間転写部５ｂは、各１次転写ローラー５２Ｂｋ〜５２Ｍ、中間転写ベルト５３、駆動ローラー５４、複数の従動ローラー５５（５５ａ〜５５ｃ）、２次転写ローラー５６、ベルト清掃装置５７を含む。中間転写ベルト５３は、各画像形成ユニット５０からトナー像の１次転写を受け、中間転写部５ｂは、シートに２次転写を行う。
【００２２】
定着部５ｃは、発熱体を内蔵する加熱ローラー５８とこれに圧接する加圧ローラー５９を含む。定着部５ｃは、加熱ローラー５８と加圧ローラー５９のニップにトナー像が転写された用紙Ｐを通過させ、トナー像を用紙Ｐに定着させる。
【００２３】
排出搬送部４ｃは、定着部５ｃから排出された用紙Ｐを排出トレイ４４方向又は両面搬送部４ｄ方向に用紙搬送方向を仕分ける。用紙搬送方向の切り替えのため、切替弁４５を有する。そして、排出搬送部４ｃの排出ローラー対４６は、正回転方向に回転駆動して排出トレイ４４方向に送り出す。尚、両面印刷のとき、排出ローラー対４６は、用紙Ｐをスイッチバックさせ、片面印刷済みの用紙Ｐを両面搬送部４ｄに導く。両面搬送部４ｄの両面搬送ローラー対４７、４８、４９（計３つ）は片面印刷済の用紙Ｐをレジストローラー対４３の上流まで搬送する。
【００２４】
（原稿読取部１）
次に、図２を用いて、実施形態に係る原稿読取部１を説明する。図２は、原稿読取部１を示す図である。
【００２５】
本実施形態の複合機１００は、原稿読取部１を含む。原稿読取部１は、原稿搬送部１ｂと画像読取部１ａを含む。
【００２６】
原稿搬送部１ｂは、複合機１００の上部に設けられる。原稿搬送部１ｂは、原稿搬送方向上流側から順に、原稿トレイ１１、原稿給紙ローラー１２ａ、原稿搬送路１２ｂ、複数の原稿搬送ローラー対１２ｃ、原稿排出ローラー対１２ｄ、原稿排出トレイ１３等を含む。そして、原稿搬送部１ｂは、搬送読取用コンタクトガラス１４ａ（読み取り位置）に向け原稿トレイ１１に載置された原稿Ｄを１枚ずつ、自動的、連続的に搬送する。尚、原稿搬送部１ｂは、図１、図２の紙面奥側を支点として画像読取部１ａに対し上下方向に開閉自在に取り付けられ、各コンタクトガラスを上方から押さえる板として機能する。
【００２７】
次に、本実施形態における画像読取部１ａを説明する。画像読取部１ａは、搬送される原稿Ｄを読み取るための搬送読取用コンタクトガラス１４ａと、載置された原稿Ｄを読み取るための載置読取用コンタクトガラス１４ｂを上面に有する。
【００２８】
又、図２に示すように、画像読取部１ａは、筐体内に、ランプ１５ａと第１ミラー１５ｂが取り付けられた第１移動枠１５ｃ、第２ミラー１５ｄと第３ミラー１５ｅが取り付けられた第２移動枠１５ｆ、ワイヤ１５ｇ、巻取ドラム１５ｈ、レンズ１５ｉ、原稿Ｄで反射された光が入射され、１ライン毎に原稿Ｄを読み取り、画像データを生成するためのイメージセンサー１６のような光学系部材を含む。ランプ１５ａから発せられた光は、各コンタクトガラス上の原稿Ｄに当たり、反射光を各ミラーで反射させて、レンズ１５ｉに導く。レンズ１５ｉは反射光を集光し、イメージセンサー１６に入射する。
【００２９】
第１移動枠１５ｃ及び第２移動枠１５ｆには複数本のワイヤ１５ｇが取り付けられる（図２では、便宜上１本のみ図示）。ワイヤ１５ｇの他端は巻取ドラム１５ｈに接続され、巻取モーター１５ｍ（図５参照）により、巻取ドラム１５ｈが正逆回転し、第１移動枠１５ｃと第２移動枠１５ｆは水平方向に自在に移動する。
【００３０】
原稿搬送部１ｂにより搬送される原稿Ｄを読み取るとき、巻取モーター１５ｍが駆動した後、第１移動枠１５ｃと第２移動枠１５ｆは、搬送読取用コンタクトガラス１４ａの下方位置（読み取り位置）に固定される。そして、通過する原稿Ｄに対し、ランプ１５ａは光を照射して、走査動作がなされる。一方、載置読取用コンタクトガラス１４ｂ上に載置された原稿Ｄを読み取る場合、第１移動枠１５ｃ及び第２移動枠１５ｆを、巻取ドラム１５ｈやワイヤ１５ｇ等により、ホームポジションから図２の右方向に水平に移動させ、走査動作を、順次原稿端部まで連続的に行う。
【００３１】
（操作パネル３）
次に、図１、図３を用いて、実施形態に係る操作パネル３の一例を説明する。図３は、操作パネル３を示す図である。
【００３２】
まず、複合機１００は、コピー機能（コピージョブ）や、原稿Ｄを読み取って得られたデータをいずれかの場所に格納する送信機能（送信ジョブ）や、複合機１００の記憶装置６１（図４参照）に記憶された画像データを利用するボックス機能のような複数の機能を有する。言い換えると、複合機１００では、実行できるジョブの種類が多数に及ぶ。
【００３３】
これらの機能の設定のため、操作パネル３が設けられる。操作パネル３は、複合機１００の正面上方に設けられる（図１参照）。そして、操作パネル３は、用いる機能を選択するためにコピーキー３３ａや送信キー３３ｂのようなハードキーを含む機能選択キー群３３を含む。また、操作パネル３には、数字入力用のテンキー部３４や、各種設定後、ジョブの開始指示用のスタートキー３５（入力部に相当）等が設けられる。
【００３４】
また、操作パネル３は表示部３１を含む。表示部３１は、機能を利用するうえで（ジョブを実行するうえで）、設定可能な設定項目の選択画面や、選択した設定項目の設定画面や、設定値の設定用のキーを表示する。また、表示部３１は、液晶や有機ＥＬのような表示パネルである。また、タッチパネル部３２が表示部３１に対し（表示部３１の上面に）設けられる。タッチパネル部３２は、表示部３１の領域内のタッチされた位置（座標）を検知する。タッチパネル部３２の出力に基づき、タッチされた位置に表示される画像、キーなどが認識され、使用者の操作が受け付けられる。
【００３５】
（複合機１００等のハードウェア構成）
次に、図４を用いて、実施形態に係る複合機１００のハードウェア構成の一例を説明する。図４は、複合機１００のハードウェア構成を示す図である。
【００３６】
まず、主制御部６が設けられる。主制御部６は、操作パネル３、原稿読取部１、印刷部２、記憶装置６１、通信部６２などと接続され、複合機１００の制御を司る。主制御部６のＣＰＵ６３は、制御のための演算などの処理を行う。画像処理部６４は、原稿Ｄの読み取りで得られた画像データや、通信部６２で受信された画像データに対し、操作パネル３でなされた設定に応じた画像処理を行い、印刷や送信用の画像データを生成する。
【００３７】
記憶装置６１は、ＲＯＭ、ＲＡＭ、ＨＤＤ等の不揮発性と揮発性の記憶装置６１を組み合わせて構成される。制御用のデータやプログラムや画像データや設定に関するデータを記憶し、主制御部６は記憶装置６１に記憶内容に基づいて制御を行う。
【００３８】
通信部６２は、主制御部６の指示に基づき、ネットワークや通信回線やケーブルを介して、コンピューター２００やＦＡＸ装置３００と通信を行う。通信部６２は、コンピューター２００やＦＡＸ装置３００に画像データを送信できる。また、主制御部６は、コンピューター２００やＦＡＸ装置３００から画像データを受信させ、受信画像データに基づいて印刷部２に印刷を行わせることができる。
【００３９】
また、主制御部６は、原稿搬送部１ｂ、画像読取部１ａと接続され、動作の指示を出して制御を行う。また、主制御部６は、印刷部２を制御するエンジン制御部２０と接続される。エンジン制御部２０は、主制御部６の指示に基づき、給紙部４ａ、搬送部４ｂ、画像形成部５ａ、中間転写部５ｂ、定着部５ｃ、排出搬送部４ｃ、両面搬送部４ｄなどの動作を制御し、印刷部２に印刷を行わせる。
【００４０】
又、主制御部６は、操作パネル３になされた入力を認識し、使用者の設定にあわせてコピー等が行われるように複合機１００を制御する。例えば、操作パネル３で、両面印刷の設定がなされると、主制御部６は、エンジン制御部２０に指示を与え、排出搬送部４ｃ、両面搬送部４ｄを動作させ、用紙Ｐの両面に印刷を行わせる。
【００４１】
操作パネル３は、パネル制御部３０、メモリー３６、ドライバ回路３０ａ、表示部３１、タッチパネル部３２を含む。パネル制御部３０は、ＣＰＵやＩＣ等で構成され、表示部３１の表示を制御する。また、パネル制御部３０は、タッチパネル部３２の出力を受け、どのキーや画像の表示位置がタッチされたかを認識し、なされた操作を認識する。また、パネル制御部３０は、機能選択キー群３３に含まれるハードキーやテンキー部３４やスタートキー３５のようなハードキーと接続される。そして、パネル制御部３０は、タッチ操作された（押された）ハードキーを認識し、その旨を主制御部６に伝達する。
【００４２】
（通常読取モードと静音読取モード）
次に、図５を用いて、実施形態に係る原稿読取部１の原稿Ｄの読取速度に関するモードを説明する。図５は、ジョブの実行速度を説明するための図である。
【００４３】
本実施形態の原稿読取部１は、予め定められた通常速度で原稿Ｄの読み取りを行う通常読取モードを有する。言い換えると、通常読取モードは、仕様上、予め定められた通常のジョブの実行速度（例えば、仕様上の１分間あたり原稿読取枚数）で原稿Ｄの読み取りを行うモードである。また、原稿読取部１は、通常速度よりも遅い静音速度で原稿Ｄを読み取ることで、通常読取モードよりも原稿Ｄの読取速度を遅くする静音読取モードを有する。
【００４４】
静音読取モードでは、原稿Ｄの読取速度が抑えられる。そのため、原稿Ｄの送り出し音や、原稿Ｄが搬送ガイドに衝突する音や擦れにより生ずる音や、原稿搬送用モーター１０ｍの回転音や、原稿搬送時に回転する原稿給紙ローラー１２ａのような回転体やギアのような機械要素から生ずる音の大きさを抑えることができる。言い換えると、静音読取モードでは、通常読取モードよりも原稿読取部１から生ずる音を抑えることができる。
【００４５】
静音読取モードでの読取速度は、通常読取モードでの読取速度よりも遅い範囲で適宜定められる。具体的に、静音読取モードでの原稿Ｄの読取速度は、通常読取モードでの読取速度の１／２や１／３や３／４や２／３や、３／５程度とできる。以下の説明では、静音読取モードでの読取速度を通常読取モードの読取速度の１／２（半速）とする例を説明する。
【００４６】
詳細は後述するが、本実施形態の複合機１００では、印刷部２が印刷を行っているか否かによって、原稿読取部１の読取モードが定まる。尚、静音読取モードで原稿Ｄを読み取るか、通常読取モードで原稿Ｄを読み取るかの指示は、操作パネル３で行えるようにしてもよい。その場合、操作パネル３には、原稿読み取りでのモード設定のため、モード設定キー３７が設けられる。モード設定キー３７は、操作パネル３にハードキーとして設けられてもよいし、表示部３１にソフトキーとして表示されてもよい。このように、操作パネル３のモード設定キー３７は、静音読取モードで読み取りを行うか、通常読取モードで読み取りを行うかの設定を受け付ける。
【００４７】
次に、各読取モードでの速度制御を説明する。原稿読取部１の原稿搬送部１ｂには、原稿搬送制御部１０ｂが設けられる。原稿搬送制御部１０ｂは、主制御部６の指示に基づき、原稿搬送を制御する。原稿搬送制御部１０ｂは、ＣＰＵやＲＯＭやＲＡＭやＩＣや素子を含む回路（基板）である。
【００４８】
コピージョブ（原稿読取部１の原稿読み取りに基づく画像データを用いて、印刷するジョブ）や、送信ジョブ（原稿読取部１の原稿読み取りに基づく画像データをコンピューター２００やＦＡＸ装置３００や記憶装置６１に送信するジョブ）のとき、原稿搬送制御部１０ｂは、原稿トレイ１１に載置された原稿Ｄを１枚ずつ搬送する。尚、原稿読取部１には、原稿トレイ１１に原稿Ｄがあるか否かを検知するための原稿検知センサー１０ｓが設けられる。
【００４９】
そして、原稿搬送制御部１０ｂは、原稿トレイ１１に載置された原稿Ｄを搬送する回転体を回転させる原稿搬送モーター１０ｍの動作を制御する。原稿搬送制御部１０ｂは、原稿検知センサー１０ｓの出力に基づき原稿トレイ１１に原稿Ｄが載置されていると認識している状態で、コピージョブや送信ジョブを静音読取モードで行うとき、通常読取モードでジョブを実行するときよりも、原稿搬送モーター１０ｍの回転速度を遅くする（１／２程度とする）。これにより、静音読取モードでは、原稿搬送制御部１０ｂは、通常読取モードのときよりも１／２程度の速度で原稿Ｄを搬送させる。
【００５０】
また、原稿読取部１の画像読取部１ａには、読取制御部１０ａが設けられる。読取制御部１０ａは、主制御部６の指示に基づき、原稿Ｄの読み取りを制御する。読取制御部１０ａは、ＣＰＵやＲＯＭやＲＡＭやＩＣや素子を含む回路（基板）である。
【００５１】
読取制御部１０ａは、各移動枠（ランプ１５ａや各ミラー）を移動させる巻取モーター１５ｍの回転速度や、回転方向を制御する。また、読取制御部１０ａは、ランプ１５ａの点消灯を制御する。読取制御部１０ａは、原稿Ｄを読み取るとき、ランプ１５ａを点灯させ、読み取りが終了するとランプ１５ａを消灯させる。また、読取制御部１０ａは、イメージセンサー１６の動作を制御する。また、読取制御部１０ａは、イメージセンサー１６のアナログ出力に基づき、Ａ／Ｄ変換部１７に画像データを生成させる。また、読取制御部１０ａは、Ａ／Ｄ変換部１７により生成された画像データに対し、読取データ処理部１８に各種補正や調整のための画像処理を行わせる。また、読取制御部１０ａは、画像メモリー１９に読取データ処理部１８が処理した画像データを蓄積させ、画像データを主制御部６や記憶装置６１に向けて送信させる。
【００５２】
読取制御部１０ａは、原稿検知センサー１０ｓの出力に基づき原稿トレイ１１に原稿Ｄが載置されていないことを認識している状態で、コピージョブや送信ジョブを開始するとき、巻取モーター１５ｍを動作させて載置読取用コンタクトガラス１４ｂに載置された原稿Ｄを読み取らせる。読取制御部１０ａは、静音読取モードで載置読取用コンタクトガラス１４ｂに載置された原稿Ｄの読み取りを伴うジョブを実行するとき、通常読取モードでジョブを実行するときよりも、巻取モーター１５ｍの回転速度を遅くする（１／２程度とする）。これにより、静音読取モードでは、読取制御部１０ａは、原稿Ｄの読取速度を通常読取モードのときよりも１／２程度とする。
【００５３】
読取制御部１０ａは、静音読取モードで原稿Ｄの読み取りを行うとき、イメージセンサー１６やＡ／Ｄ変換部１７や読取データ処理部１８や画像メモリー１９の動作速度（動作クロック）を通常読取モードのときよりも遅い速度で動作させてもよい（例えば、動作周波数を１／２程度とする）。あるいは、読取制御部１０ａは、イメージセンサー１６やＡ／Ｄ変換部１７や読取データ処理部１８や画像メモリー１９を通常読取モードと、静音読取モードとで同じ速度で動作させてもよい。この場合、原稿搬送方向（副走査方向）でのライン数は予め定められた読取解像度に比べ多くなるので、読取制御部１０ａは不要なラインを読取データ処理部１８に間引き処理させる。
【００５４】
このように、静音読取モードと通常読取モードに応じた速度で読み取りが行われるように、主制御部６は、原稿読取部１（原稿搬送部１ｂ、画像読取部１ａ）の動作を原稿搬送制御部１０ｂや読取制御部１０ａに制御させる。
【００５５】
（通常印刷モードと静音印刷モード）
次に、図５を用いて、実施形態に係る印刷部２の印刷速度に関するモードを説明する。
【００５６】
本実施形態の印刷部２は、予め定められた通常速度で印刷を行う通常印刷モードを有する。言い換えると、通常印刷モードは、仕様上、予め定められた通常のジョブの実行速度（例えば、仕様上の１分間あたりの印刷枚数）で印刷を行うモードである。また、印刷部２は、通常速度よりも遅い静音速度で印刷を行って、通常印刷モードよりも印刷速度を遅くする静音印刷モードを有する。
【００５７】
静音印刷モードでは、印刷速度が抑えられる。そのため、用紙Ｐの送り出し音（給紙音）や、用紙Ｐが搬送ガイドに衝突する音や擦れにより生ずる音や、印刷用モーター２３の回転音や、用紙搬送やトナー像形成のために回転する搬送ローラー対４２ａ、４２ｂ、４２ｃのような回転体やギアのような機械要素から生ずる音の大きさを抑えることができる。言い換えると、静音印刷モードでは、通常印刷モードよりも印刷部２から生ずる音を抑えることができる。
【００５８】
静音印刷モードでの印刷速度は、通常印刷モードでの印刷速度も遅い範囲で適宜定められる。具体的に、静音印刷モードでの印刷速度は、通常印刷モードでの印刷速度の１／２や１／３や３／４や２／３や、３／５程度とできる。以下の説明では、静音印刷モードでの印刷速度を通常印刷モードのときの印刷速度の１／２（半速）とする例を説明する。
【００５９】
静音印刷モードで印刷を行うか、通常印刷モードで印刷を行うかの指示は、操作パネル３で行うことできる。そのため、操作パネル３のモード設定キー３７は、静音印刷モードで印刷を行うか、通常印刷モードで印刷を行うかの設定を受け付ける。
【００６０】
次に、各印刷モードでの速度制御を説明する。印刷部２には、エンジン制御部２０が設けられる。エンジン制御部２０は、主制御部６の指示に基づき、印刷速度（単位時間あたりの印刷枚数）を制御する。エンジン制御部２０は、エンジンＣＰＵ２１やエンジンメモリー２２やＩＣや素子を含む回路（基板）である。
【００６１】
エンジン制御部２０は、印刷部２内に設けられる印刷用モーター２３のＯＮ／ＯＦＦや回転速度を制御する。印刷用モーター２３は、１又は複数設けられる。印刷用モーター２３は、用紙搬送用のローラー（各種搬送部４ｂや給紙部４ａの回転体）や、トナー像形成や転写や定着に関する処理を行う回転体（画像形成部５ａ、中間転写部５ｂ、定着部５ｃ内の回転体など）のような印刷時に回転する回転体を回転させる。また、エンジン制御部２０は、感光体ドラムの走査、露光を行う露光装置５１内のポリゴンミラー２４ａを回転させるポリゴンモーター２４のＯＮ／ＯＦＦや回転速度を制御する。
【００６２】
コピージョブや、コンピューター２００のような外部から送信されたデータに基づき印刷を行うプリントジョブや、記憶装置６１に蓄積された画像データに基づき印刷を行うボックス印刷ジョブのとき、エンジン制御部２０は、印刷部２に印刷を行わせる。
【００６３】
エンジン制御部２０は、静音印刷モードで印刷を行うとき、通常印刷モードで印刷を行うときよりも、印刷用モーター２３の回転速度を遅くする（１／２程度とする）。これにより、静音印刷モードでは、エンジン制御部２０は、印刷ジョブの実行速度を、通常印刷モードのときの１／２程度とする。
【００６４】
また、エンジン制御部２０は、静音モードで感光体ドラムの走査、露光を行うとき、通常モードよりも感光体ドラムの回転速度が遅くなるのにあわせて、ポリゴンモーター２４の回転速度を通常モードよりも遅くしてもよい（例えば、ポリゴンモーター２４に入力する駆動信号の周波数を１／２程度とする）。あるいは、エンジン制御部２０は、静音モードでは、ポリゴンモーター２４の回転速度を同じとしつつ、減速率にあわせて、数ラインに１ラインの割合で、感光体ドラムの走査、露光を行うようにしてもよい（例えば、２ライン中、１ラインのみ画像データにあわせて露光する）。
【００６５】
このように、静音印刷モードと通常印刷モードに応じた速度で印刷が行われるように、エンジン制御部２０は、印刷部２の動作を制御する。
【００６６】
（印刷部２の状態にあわせた読取速度の変更）
次に、図６、図７を用いて、実施形態に係る複合機１００での印刷部２の状態にあわせた原稿Ｄの読取を説明する。図６は、印刷部２の状態にあわせた読取速度の変更を説明するためのタイミングチャートである。図７は、原稿Ｄの枚数が少ないときの動作を示すタイミングチャートである。
【００６７】
印刷部２で印刷を行っている状態では、原稿Ｄを読み取っている原稿読取部１から生ずる音は、印刷動作に伴い生ずる音にまぎれ、使用者にとって耳障りな音と感じにくくなる。そこで、本実施形態の複合機１００では、読み取った原稿Ｄの画像データに基づき印刷を行うコピージョブのような原稿読み取りと印刷を並行してジョブを実行するとき、印刷部２がジョブを行っていないとき、主制御部６は、静音読取モードで原稿Ｄの読み取りがなされるように、原稿搬送制御部１０ｂや読取制御部１０ａに原稿読取部１を制御させる。また、印刷部２が印刷を行っている状態では、主制御部６は、通常読取モードで原稿Ｄの読み取りがなされるように、原稿搬送制御部１０ｂや読取制御部１０ａに原稿読取部１を制御させる。
【００６８】
具体的に図６、図７のタイミングチャートを用いて説明する。まず、図６、図７での最上段のチャートは、原稿検知センサー１０ｓの出力を示す。Ｈｉｇｈ状態は、原稿検知センサー１０ｓが原稿Ｄの存在を検知している状態（原稿トレイ１１に原稿Ｄがある状態）を示す。Ｌｏｗ状態は、原稿検知センサー１０ｓが原稿Ｄの存在を検知していない状態（原稿トレイ１１に原稿Ｄがない状態）を示す。
【００６９】
次に、図６、図７での中段のチャートは、印刷部２の印刷速度を示す。「高速」の語が付されたＨｉｇｈ状態に近いほど印刷速度が速い状態を示し、Ｌｏｗ状態に近いほど印刷速度が遅いことを示す。図６、図７では、Ｌｏｗ状態が印刷を停止している状態（給紙や用紙搬送やトナー像形成などを行っていない状態）を示し、Ｈｉｇｈ状態が通常印刷モードで（通常速度で）印刷を行っている状態を示す。尚、本実施形態の複合機１００は、静音印刷モードを有するが、図６、図７の説明では、通常印刷モードで印刷する態様を説明する。
【００７０】
そして、図６、図７での最下段のチャートは、原稿読取部１の読取速度を示す。「高速」の語が付されたＨｉｇｈ状態に近いほど読取速度が速い状態を示し、Ｌｏｗ状態に近いほど読取速度が遅いことを示す。図６、図７では、Ｌｏｗ状態が原稿読み取りを停止している状態（原稿搬送や光源点灯やイメージセンサー１６による画像読取を行っていない状態）を示し、Ｈｉｇｈ状態が通常読取モードで（通常速度で）原稿Ｄを読み取っている状態を示し、ＨｉｇｈとＬｏｗの間の「低速」の符号が付された状態は、静音読取モードで（静音速度で）原稿Ｄを読み取る状態を示す。
【００７１】
図６において、Ｔ１の時点は、スタートキー３５へのタッチ操作により、コピージョブを開始する時点（１枚目の原稿Ｄの給紙開始時点）を示している。そして、Ｔ２の時点は、用紙搬送開始やトナー像形成の開始や印刷部２内の回転体の回転開始など、印刷を開始する時点である。言い換えると、給紙部４ａから用紙Ｐの給紙が開始される時点である。
【００７２】
ここで、コピージョブでは、原稿Ｄの読み取り開始から、読み取りで得られた画像データに基づき印刷を開始するまでには、画像データの生成や、生成した画像データへの画像処理や、印刷開始のための準備動作（印刷に必要な電圧生成など）のため、読み取りと印刷の開始時点にはずれがある。図６では、Ｔ１〜Ｔ２が、図７では、Ｔ６〜Ｔ９がずれにあたる。
【００７３】
そして、図６に示すように、原稿搬送制御部１０ｂは、原稿読み取り開始から印刷開始までの間、静音速度で原稿Ｄを搬送させる。また、読取制御部１０ａは、原稿読み取り開始から印刷開始までの間、画像読取部１ａ内の部材を静音読取モードのときの速度で動作させる。このように、主制御部６は、原稿読取部１から生ずる音が支配的な状況では、静音読取モードで読み取りを原稿読取部１に行わせる。
【００７４】
そして、Ｔ２の時点での印刷開始（給紙部４ａでの給紙開始）に伴い、原稿搬送制御部１０ｂは、通常速度での原稿搬送を開始する。また、読取制御部１０ａは、印刷が開始されるにともない、画像読取部１ａ内の部材を通常読取モードのときの速度で動作させる。このように、印刷部２から生ずる音が支配的な状況では、主制御部６は、通常読取モードでの読み取りを原稿読取部１に行わせる。
【００７５】
なお、印刷開始（給紙部４ａでの給紙開始）と同時に通常読取モードに変化させるのではなく、印刷開始時に搬送中（読取中）の原稿Ｄは、静音読取モードで読み取りと排出を行ってもよい。そして、先行する原稿の全てを排出した後、印刷部２が印刷を開始してから最初に給紙する原稿Ｄから、原稿搬送制御部１０ｂは通常速度での原稿搬送を行うようにし、読取制御部１０ａは、画像読取部１ａ内の部材を通常読取モードのときの速度で動作させるようにしてもよい。
【００７６】
そして、図６のＴ３の時点として示すように、原稿搬送制御部１０ｂは原稿検知センサー１０ｓの出力に基づき、原稿Ｄが無くなったこと（原稿束の最終ページが搬送されたこと）を認識する。そして、原稿搬送制御部１０ｂは最終ページの原稿Ｄを原稿排出トレイ１３に排出させ、画像読取部１ａは、最終ページの原稿Ｄの読み取りを完了する（Ｔ４の時点）。そして、エンジン制御部２０は、最終ページの画像データに基づき印刷を行い印刷が完了する（Ｔ５の時点）。
【００７７】
尚、本実施形態の説明では、排出トレイ４４に印刷ジョブのうちの最終ページが排出された時点を印刷の完了として扱う。言い換えると、排出トレイ４４にジョブの全ページの印刷済の用紙Ｐを排出することにより印刷が完了する。尚、本実施形態の複合機１００には、排出ローラー対４６近傍に、印刷済の用紙Ｐが排出トレイ４４に排出されたことを検知するための排出検知センサー２５が設けられる（図５参照）。エンジン制御部２０は、排出検知センサー２５の出力に基づき、排出トレイ４４に用紙Ｐが排出された否かを認識する。
【００７８】
なお、原稿トレイ１１に載置された原稿Ｄの枚数が少ないとき（例えば、１、２枚のとき）、静音読取モードでの読み取りのまま、原稿Ｄの読み取りが完了する場合もある。この点、図７を用いて説明する。
【００７９】
図７のＴ６の時点は、スタートキー３５の操作などにより、原稿Ｄの読み取りの開始（１枚目の原稿Ｄの給紙開始）時点を示している。そして、Ｔ７の時点は、原稿搬送制御部１０ｂが原稿検知センサー１０ｓの出力に基づき、原稿Ｄが無くなったことを認識した時点である。また、Ｔ８の時点は、画像読取部１ａが原稿Ｄの最終ページの読み取りを完了した時点（原稿排出トレイ１３に最終ページの原稿Ｄの排出が完了した時点）を示す。
【００８０】
このように、原稿トレイ１１に載置された原稿Ｄの枚数が少ないと、原稿Ｄの読み取り開始から、読み取り得られた画像データに基づく印刷が開始されるまでに（Ｔ９の時点までに）原稿Ｄの読み取りが完了してしまう場合がある。このような場合、原稿読取部１での読み取りは、静音読取モードのみで実行される。そのため、原稿トレイ１１に載置された原稿Ｄの枚数が少なくても、使用者がうるさいと感じさせるほどの音が原稿読取部１から生じない。
【００８１】
（原稿読取部１の読取モードの遷移の流れ）
次に、図８を用いて、原稿読取部１での読取モードの遷移の流れを説明する。図８は、原稿読取部１の読取モードの遷移の流れを示すフローチャートである。
【００８２】
まず、図８のスタートは、コピージョブのとき、原稿トレイ１１に原稿Ｄが載置された状態で原稿Ｄの読み取りを開始しようとする時点である。
【００８３】
まず、主制御部６は、印刷部２で印刷ジョブが実行中であるか否かを確認する（ステップ♯１）。例えば、コンピューター２００から送信された画像データに基づき、プリントジョブを行っている場合や、複数部の印刷を行う先のコピージョブが行われている場合など、原稿Ｄの搬送を開始する時点で、印刷部２が印刷を行っている場合がある。このような印刷ジョブが行われていれば、通常読取モードで原稿Ｄの読み取りを行っても、使用者は、原稿読取部１から生ずる音が耳障りとは感じない。
【００８４】
もし、印刷部２で印刷ジョブが実行されていれば（ステップ♯１のＹｅｓ）、主制御部６は、通常読取モードで原稿Ｄの読み取りを原稿読取部１に行わせる（ステップ♯２）。具体的に、原稿搬送制御部１０ｂは、通常速度で原稿Ｄが搬送されるように原稿搬送用モーター１０ｍを回転させ、読取制御部１０ａは、通常読取モードの速度で画像読取部１ａの部材を動作させる。そして、最終ページまで、通常読取モードでの原稿読み取りがなされる（エンド）
【００８５】
一方、行われている印刷ジョブがなければ（ステップ♯１のＮｏ）、主制御部６は、静音読取モードで原稿Ｄの読み取りを原稿読取部１に行わせる（ステップ♯３）。具体的には、原稿搬送制御部１０ｂは、静音速度で原稿Ｄが搬送されるように原稿搬送用モーター１０ｍを回転させ、読取制御部１０ａは、静音読取モードの速度で画像読取部１ａの部材を動作させる。
【００８６】
そして、原稿搬送制御部１０ｂと読取制御部１０ａは、原稿検知センサー１０ｓの出力に基づき、原稿トレイ１１に載置された原稿Ｄのうち、最終ページの原稿Ｄの読み取りが完了したか否かを確認する（ステップ♯４）。読み取りが完了したのであれば、静音読取モードでの読み取りのみまま、フローは終了する（エンド）。
【００８７】
原稿検知センサー１０ｓの出力に基づき、原稿トレイ１１に載置された原稿Ｄのうち、最終ページの原稿Ｄの読み取りが完了していなければ、主制御部６は、印刷部２で印刷が開始されたか否かを確認する（ステップ♯５）。
【００８８】
もし、印刷が開始されていなければ（ステップ♯５のＮｏ）、フローはステップ♯３に戻る。一方、印刷が開始されていれば（ステップ♯５のＹｅｓ）、主制御部６は、静音読取モードから通常読取モードに読取速度を切り替えての原稿Ｄの読み取りを原稿読取部１に行わせる（ステップ♯６→エンド）。
【００８９】
（ポリゴンモーター２４の回転停止）
次に、図５、図９を用いて、本実施形態に係るポリゴンモーター２４の回転停止について説明する。図９は、ポリゴンモーター２４の回転停止を説明するためのタイミングチャートである。
【００９０】
露光装置５１には、感光体ドラムの走査、露光のため、半導体レーザー装置（不図示）と、半導体レーザー装置からのレーザー光を反射するポリゴンミラー２４ａを回転させるためのポリゴンモーター２４が設けられる（図４参照）。ポリゴンモーター２４の回転速度は、数万ｒｐｍに及ぶため、使用者が耳障りと感ずるほどの高周波音が生ずる場合がある。
【００９１】
従来、印刷ジョブの最終ページの用紙Ｐが排出トレイ４４に排出されるまで、エンジン制御部２０は、ポリゴンモーター２４を回転させる駆動信号の入力を続けていた（ポリゴンモーター２４の回転は続けられていた）。
【００９２】
そのため、従来、印刷開始から印刷ジョブの最終ページの用紙Ｐが排出トレイ４４に排出されるまで、及び、排出トレイ４４への排出後、ポリゴンモーター２４が慣性により回転し続けている間、使用者が不快と感じるおそれがある音が生じている。
【００９３】
そこで、本実施形態の複合機１００では、エンジン制御部２０は、印刷ジョブの最終ページでの走査、露光（感光体ドラムへの書き込み）が終了すると、エンジン制御部２０は、ポリゴンモーター２４の回転を停止させる。言い換えると、エンジン制御部２０は、最終ページの排出トレイ４４への用紙排出前に、ポリゴンモーター２４への駆動信号の入力を停止する。
【００９４】
この点、図９を用いて、説明する。図９の時点Ｔ１１は、原稿読取部１での原稿Ｄの読み取り（原稿搬送や画像データの生成）が終了した時点である。コピージョブのとき、最終ページの印刷開始前に、コピージョブの対象となる原稿Ｄの束のうちの最終ページ（原稿トレイ１１に載置された原稿Ｄの最終ページ）の読み取りは終了する。尚、原稿搬送制御部１０ｂは、原稿検知センサー１０ｓの出力に基づき、給紙した原稿Ｄが最終ページであるか否かを認識できる。
【００９５】
そして、最終ページの印刷では、排出トレイ４４に排出するまでの用紙搬送、定着、１次転写、２次転写の前に、最終ページのトナー像形成に必要な感光体ドラムの走査、露光が終了する。図９では、Ｔ１２が最終ページのトナー像形成に必要な感光体ドラムの走査、露光の終了時点である。
【００９６】
尚、いつの時点を最終ページの感光体ドラムの走査、露光の終了時点と扱うかは任意に定めることができる。例えば、感光体ドラムに対する走査、露光位置が、印刷ジョブの最終ページの副走査方向での最終ラインに相当する位置を超えた時点を最終ページの感光体ドラムの走査、露光の終了時点と定めることができる。また、エンジン制御部２０は、印刷ジョブの最終ページの画像データに基づき、最終ページのうち、副走査方向で最も用紙後端側でのトナーをのせるドットの位置を認識し、最終ページで露光が必要な全てのドットを走査、露光した時点（副走査方向で最も用紙後端側でのトナーをのせるドットを露光した時点）を終了時点と扱ってもよい。
【００９７】
そして、図９のＴ１３は、排出トレイ４４に用紙Ｐが排出される時点（印刷終了時点）を示す。図９に示す例では、最終ページが排出トレイ４４に排出される前に、ポリゴンモーター２４は停止される。このように、エンジン制御部２０は、最終ページの感光体ドラムの走査、露光の終了時点に到ると、ポリゴンモーター２４の回転の停止を開始させ、速やかにポリゴンモーター２４から生ずる音を小さくさせる。これにより、複合機１００の静音性が高められる。
【００９８】
（給紙タイミングの意図的なずれ）
次に、図１０を用いて、原稿読取部１での原稿Ｄの送り出し開始と、給紙部４ａからの用紙Ｐの給紙開始のずれを説明する。図１０は、原稿読取部１での原稿Ｄの送り出し開始と、給紙部４ａからの用紙Ｐの給紙開始のずれを示す図である。
【００９９】
原稿トレイ１１からの原稿Ｄの搬送では、載置された原稿Ｄの送り出し（給紙）を開始するときに大きな音が生じやすい。また、印刷のとき、カセット内（給紙部４ａ内）の用紙Ｐの送り出し（給紙）を開始するときに大きな音が生じやすい。
【０１００】
ここで、コピージョブのように原稿Ｄの読み取りを行いつつ印刷を行うとき、原稿Ｄの搬送を開始する時点と、用紙Ｐの給紙を開始する時点が同じ、又は、非常に近くなる場合がある。原稿Ｄの搬送を開始する時点と、用紙Ｐの給紙を開始する時点が近いと、大きな音が生ずる時間帯が重なり合計音量がかなり大きくなる場合がある。
【０１０１】
そこで、本実施形態の複合機１００では、複合機１００から生ずる音を抑えるため、主制御部６は、給紙部４ａから給紙を開始するタイミング（時点）と、原稿搬送部１ｂから原稿Ｄの送り出しを開始するタイミング（時点）を所定間隔以上異ならせる。これにより、用紙Ｐの送り出しが重なって複合機１００から生ずる音が大きくなることを避けることができる。
【０１０２】
この点、図１０を用いて説明する。図１０のうち、上方のチャートでの、Ｈｉｇｈ状態は、原稿Ｄを搬送している状態を示す。言い換えると、原稿搬送制御部１０ｂが原稿搬送用モーター１０ｍを回転させる状態である。また、Ｌｏｗ状態は、原稿Ｄを搬送していない状態を示す。言い換えると、原稿搬送制御部１０ｂが原稿搬送用モーター１０ｍを回転させていない状態である。
【０１０３】
また、図１０のうち、下方のチャートでの、Ｈｉｇｈ状態は、給紙部４ａで給紙を行っている状態を示す。言い換えると、エンジン制御部２０が給紙ローラー４１を回転させている状態である。また、Ｌｏｗ状態は、給紙部４ａで給紙を行っていない状態を示す。言い換えると、エンジン制御部２０が給紙ローラー４１を回転させていない状態を示す。
【０１０４】
本実施形態の複合機１００では、時点Ｔ１４〜Ｔ１９に示すように、エンジン制御部２０と原稿搬送制御部１０ｂは、原稿Ｄの搬送の開始の時点と、給紙開始（給紙ローラー４１の回転開始）の時点に差を持たせる。差は所定間隔以上とされる。これにより、複合機１００の静音性が高められる。
【０１０５】
（操作音量の調整）
次に、図５、図１１を用いて、印刷が行われているか否かに応じた操作パネル３での操作音の音量調整を説明する。図１１は、印刷が行われているか否かに応じた操作音量の調整を説明するための図である。
【０１０６】
まず、操作パネル３は、操作パネル３に設けられたソフトキーやハードキーに対するタッチ操作に応じ、操作音を発する発音部３８を含む（図５参照）。例えば、発音部３８は電子音を発するスピーカーである。操作音により、自己のタッチ操作が受け付けられたことを認識できる。
【０１０７】
原稿Ｄが搬送されていないときや、印刷が行われていないとき、画像形成装置から生ずる音は、ほとんど無い。そのため、ジョブを実行していない状態では、操作音が耳に付きやすくなる。そして、操作音の音が高いときや、操作音の音量が大きいと、使用者にうるさいと不快感を与えかねない。
【０１０８】
そこで、本実施形態の複合機１００では、原稿読取部１や印刷部２がジョブ実行していないとき、発音部３８は、ジョブを実行しているときよりも操作音を小さくする。一方、原稿読取部１や印刷部２がジョブ実行している間では、発音部３８は、ジョブを実行していないときよりも操作音を大きくする。これにより、ジョブを実行していないときに大きな操作音を鳴らし、操作音が顕著に聞こえるようにしつつ、使用者にうるさいと不快感を与えない。
【０１０９】
具体的に、図１１を用いて説明する。図１１のうち、上方のチャートは、操作音の大小を示す。また、下方のチャートは、原稿読み取り（原稿搬送）や、印刷（給紙や排出）のようなジョブの実行の有無を示す。Ｈｉｇｈ状態は、ジョブが行われている状態を示し、Ｌｏｗ状態は、ジョブが行われていない状態を示す。
【０１１０】
そして、図１１に示すように、パネル制御部３０は、原稿読み取りや印刷のようなジョブが実行されると、操作音量を大きなレベルとする（Ｔ２０の時点）。そして、パネル制御部３０は、ジョブが実行されている間、操作がなされると、ジョブが行われていないときよりも大きい操作音を発音部３８に出させる。パネル制御部３０は、ジョブが完了したとき（排出トレイ４４に用紙Ｐが排出されたときや、原稿Ｄの最終ページの読み取りが完了したとき）操作音量を小さなレベルとする（Ｔ２１の時点）。これにより、複合機１００の静音性が高められる。
【０１１１】
（印刷のモードに応じたファン２６の回転制御）
次に、図５、図１２を用いて、印刷のモードに応じたファン２６の回転制御を説明する。図１２は、印刷のモードに応じたファン２６の回転制御を説明するための図である。
【０１１２】
まず、本実施形態の複合機１００には、冷却、放熱や機内の空気循環などのため、１又は複数のファン２６が設けられる（図５参照）。ファン２６は、空気の吸入、排出を行う。ファン２６は、複合機１００の背面や側面のカバーに面するように、あるいは、機内の奥部に設けられる。
【０１１３】
エンジン制御部２０は、ファン２６の回転（回転のＯＮ／ＯＦＦ）を制御する。具体的に、エンジン制御部２０は、印刷ジョブの開始（給紙開始）に伴いファン２６を回転させ、印刷の終了（最終ページの用紙排出）、又は、印刷の終了から予め定められた冷却時間経過したのち、ファン２６の回転を停止させる。
【０１１４】
ここで、ファン２６を回転させると、風切り音や、モーターの駆動音が生ずる。そのため、ファン２６を回転させない方が、画像形成装置から生ずる音の大きさを抑えることができる。そこで、本実施形態の複合機１００では、エンジン制御部２０は、通常印刷モードで印刷したときと、静音印刷モードで印刷したときとで、各ファン２６を停止させる時点を異ならせる。
【０１１５】
具体的にファン２６は、静音印刷モードで印刷したとき、通常印刷モードで印刷したときよりも早い時点で停止する。この点、図１２を用いて説明する。まず、図１２でのＴ２２は、印刷ジョブを開始する時点（用紙Ｐの給紙の開始時点）である。本実施形態では、印刷ジョブの開始からファン２６を回転させる例を説明するが、印刷開始から予め定められた時間が経過した後、ファン２６の回転が開始されてもよい。
【０１１６】
そして、図１２のＴ２３は、印刷ジョブの完了（排出トレイ４４への印刷ジョブでの最終ページの排出）の時点を示している。そして、エンジン制御部２０は、静音印刷モードで印刷したとき、実行されたモードの趣旨に応じ、複合機１００から生ずる音をできるだけ速やかに小さくするため、通常印刷モードで印刷したときよりも、早くファン２６を停止させる。言い換えると、エンジン制御部２０は、印刷ジョブの終了からファン２６を停止させるまでの時間を、静音印刷モードで印刷したときの方が通常印刷モードで印刷したときよりも短くする。図１２では、Ｔ２４は静音印刷モードで印刷したときにエンジン制御部２０がファン２６を停止させる時点を示し、Ｔ２５は通常印刷モードで印刷したときにエンジン制御部２０がファン２６を停止させる時点を示す。
【０１１７】
これにより、静音印刷モードでは、ジョブを行うことにより生ずる音をできるだけ抑えるというモードの趣旨に基づき、ファン２６を停止させることができる。また、通常印刷モードで印刷すると、十分に冷却や空気の循環を行うことができる。
【０１１８】
（印刷速度の自動変更）
次に、図１３を用いて、印刷速度の自動変更について説明する。図１３は、印刷速度の自動変更の流れを説明するためのフローチャートである。
【０１１９】
上述のように、本実施形態の複合機１００では、使用者は、印刷の実行速度（通常印刷モードで印刷するか、静音印刷モードで印刷するか）を選択できる。そして、主制御部６は、モード設定キー３７に対する操作により、操作パネル３で受け付けられたモードに応じた速度で印刷を行う旨の指示をエンジン制御部２０に与える。この指示に応じ、エンジン制御部２０は、印刷部２の動作速度を制御する。
【０１２０】
まず、複合機１００に入力される印刷ジョブの印刷用データとしては、コピージョブの印刷用データがある。コピージョブのとき、原稿読取部１の読み取りで得られた画像データや、コピージョブの実行前になされた操作パネル３の設定内容などが印刷用データとして記憶装置６１に記憶される。また、複合機１００に入力される印刷ジョブの印刷用データとしては、コンピューター２００から送信され、通信部６２で受信されたプリントジョブ（複合機１００をプリンターとして用いるジョブ）の印刷用データがある。プリントジョブのとき、コンピューター２００から受信した印刷内容を示すデータや、コンピューター２００のドライバソフトウェアを用いて設定された設定内容などが印刷用データとして記憶装置６１に記憶される。また、複合機１００に入力される印刷ジョブの印刷用データとしては、ＦＡＸ装置３００から送信され、通信部６２で受信したＦＡＸ印刷ジョブ（複合機１００をＦＡＸ受信装置として用いるジョブ）の印刷用データがある。ＦＡＸ印刷ジョブのとき、相手方のＦＡＸ装置３００から受信した画像データや、印刷での設定を示すデータなどが印刷用データとして記憶装置６１に記憶される。
【０１２１】
このように、印刷用データには、実行する印刷ジョブの各ページの画像データや、印刷に関する設定データ（印刷に用いる用紙サイズや両面印刷のような用いる機能の設定値など）が含まれる。エンジン制御部２０は、印刷用データを用いて印刷部２に印刷を行わせる。
【０１２２】
ここで、印刷ジョブの実行中に印刷用データが複合機１００に入力されたとき、入力された印刷用データに基づき直ちに印刷を開始することはできない。そこで、記憶装置６１は、印刷ジョブを行っているとき、新たな印刷用データが複合機１００に入力されると、記憶装置６１は、新たに入力された印刷用データを記憶する（蓄積する）。また、記憶装置６１は、実行待ちの印刷用データを複数記憶できる。尚、複数の印刷用データが蓄積されたとき、先に入力された印刷ジョブ（印刷用データ）から印刷がなされる。
【０１２３】
ここで、同じ枚数を印刷するとき、静音印刷モードのときの方が通常印刷モードのときよりも、印刷開始から終了までに要する時間は長くなる。印刷する枚数が多いときや、印刷ジョブが複数たまっているときでも、静音印刷モードでの印刷を続けると、印刷物を得るまでの使用者の待ち時間は長くなる。
【０１２４】
そこで、本実施形態の複合機１００では、静音印刷モードで印刷中に、印刷物を得るまでの時間が長くなると認められるほど印刷ジョブ（印刷用データ）が記憶装置６１に蓄積されたとき、自動的に印刷速度を高速に変更する。具体的に、静音印刷モードで印刷している状態で一定量の印刷ジョブ（印刷用データ）が記憶装置６１に蓄積されたとき、エンジン制御部２０は、通常印刷モードに印刷速度を切り替える。
【０１２５】
以下、図１３を用いて、静音印刷モードで印刷しているときでの通常印刷モードへの印刷速度の自動変更の流れを説明する。
【０１２６】
まず、図１３のスタートは、モード設定キー３７を用いて、静音印刷モードでの印刷を開始する時点である。そして、エンジン制御部２０は、静音印刷モードで印刷を印刷部２に行わせる（ステップ♯１１）。具体的に、エンジン制御部２０は、静音印刷モード（静音速度）で用紙搬送やトナー像形成を印刷部２に行わせる。
【０１２７】
次に、エンジン制御部２０は、印刷ジョブの最終ページの給紙が開始されているか否かを確認する（ステップ♯１２）。エンジン制御部２０は、印刷用データに基づき、印刷開始から給紙した枚数を確認して、印刷ジョブの最終ページの給紙が開始されているか否かを確認できる。
【０１２８】
最終ページの印刷が開始されていれば（ステップ♯１２のＹｅｓ）、実行待ちの印刷ジョブがまもなく開始されるので、本フローは終了する（エンド）。一方、最終ページの印刷が開始されていないとき（ステップ♯１２のＮｏ）、まず、エンジン制御部２０は、主制御部６や記憶装置６１と通信を行い、記憶装置６１に記憶される印刷ジョブ（印刷用データ）を確認する（ステップ♯１３）。
【０１２９】
そして、エンジン制御部２０は、記憶装置６１に実行待ちの印刷ジョブがあるか（蓄積された印刷ジョブ）が有るか否かを確認する（ステップ♯１４）。もし実行待ちの印刷ジョブが無ければ（ステップ♯１４のＮｏ）、フローは、ステップ♯１１に戻る。
【０１３０】
一方、実行待ちの印刷ジョブがあれば（ステップ♯１４のＹｅｓ）、エンジン制御部２０は、印刷すべきページ残数が予め定められた基準ページ数を超えているか否かを確認する（ステップ♯１５）。具体的に、エンジン制御部２０は、実行中の印刷ジョブで給紙をこれから行わなくてはならない枚数、あるいは、排出トレイ４４に排出すべき枚数と、実行待ちの印刷ジョブで印刷する枚数の合計が基準ページ数を超えているか否かを確認する。尚、「基準ページ数」は、任意に定めることができる値である。例えば、「基準ページ数」は、１０ページ〜数十ページ程度（１０〜３０ページ）あたりの値に設定される。
【０１３１】
印刷の残ページ数が基準ページ数以下のとき（ステップ♯１５のＮｏ）、フローは、ステップ♯１１に戻る。一方、印刷の残ページ数が基準ページ数を超えているとき（ステップ♯１５のＹｅｓ）、エンジン制御部２０は、印刷速度を静音印刷モードから通常印刷モードに切り替える（ステップ♯１６）。そして、エンジン制御部２０は、印刷ジョブの完了まで、自動切替後の速度で（通常印刷モード）で、印刷を継続する（エンド）。
【０１３２】
具体的には、給紙を一旦停止し、静音印刷モードで給紙や用紙搬送やトナー像形成をしたページの全てが排出トレイ４４に排出されたとき、あるいは、静音印刷モードで給紙やトナー像形成がなされたページについての全てのトナー像の形成や転写が完了したとき、エンジン制御部２０は、通常印刷モードでの給紙、用紙搬送、トナー像形成のような印刷動作を印刷部２に開始させる。
【０１３３】
（読取速度の自動変更）
次に、図１４を用いて、読取速度の自動変更について説明する。図１４は、読取速度の自動変更の流れを説明するためのフローチャートである。
【０１３４】
本実施形態の複合機１００では、コピージョブのような原稿読み取りと印刷が並行して実行されるようなジョブでは、最初は静音読取モードで、印刷が開始されると、通常読取モードで読み取りがなされる。
【０１３５】
一方で、実施形態の複合機１００では、印刷を伴わない原稿読み取りのジョブを実行するとき、使用者は、読み取りの実行速度（通常読取モードで原稿Ｄを読み取るか、静音読取モードで読み取るか）を選択できる。具体的に、操作パネル３は、モード設定キー３７への操作を、原稿読み取り時のモード設定操作として受け付ける。そして、主制御部６は、操作パネル３で設定されたモードに応じた速度で読み取りを行う旨の指示を原稿読取部１に与える。この指示に応じ、原稿搬送制御部１０ｂや読取制御部１０ａは、原稿読取部１の動作速度を制御する。
【０１３６】
原稿Ｄを読み取りつつ、印刷を伴わないジョブとしては、原稿読取部１が読み取った画像データに基づき、コンピューター２００やＦＡＸ装置３００に送信を行う送信ジョブや、原稿読取部１が読み取った画像データを記憶装置６１に記憶させるボックス蓄積ジョブがある。
【０１３７】
ここで、同じ枚数の原稿Ｄを読み取るとき、静音読取モードの方が、通常読取モードで原稿Ｄの読み取りを行うときに比べ、読み取り開始から終了までの時間が長くなる。原稿トレイ１１に載置された原稿Ｄの枚数が多いとき、静音読取モードでの読み取りを続けると、読み取りが終了するまでの使用者の待ち時間は長くなる。
【０１３８】
そこで、本実施形態の複合機１００では、静音読取モードで読み取りを行っていて、読み取りが終了するまでの時間が長くなると認められるとき、読み取りの速度が自動的に高速化される。具体的に、静音読取モードで読み取りしている状態で、原稿Ｄの給紙を開始時点から、読み取りジョブが完了するまで（原稿トレイ１１から原稿Ｄがなくなり、原稿Ｄが原稿排出トレイ１３に排出されるまで）の間に、連続的に給紙した原稿Ｄの枚数が予め定められた基準読取枚数を超えたとき、原稿読取部１は、静音読取モードから通常読取モードへの読み取りに自動的に切り替えて原稿Ｄを読み取る。
【０１３９】
具体的に、原稿搬送制御部１０ｂは、当初、静音速度で原稿Ｄを搬送し、モードが自動的に切り替えられると、通常速度で原稿Ｄが搬送されるように、原稿搬送用モーター１０ｍの回転速度を制御する。また、読取制御部１０ａは、当初、静音速度で原稿Ｄの画像データの生成や画像処理を行わせ、モードが自動的に切り替えられると、通常速度で原稿Ｄの画像データの生成や画像処理を行わせる。
【０１４０】
以下、図１４を用いて、静音読取モードで読み取りしているときでの通常読取モードへの読取速度の自動変更の流れを説明する。
【０１４１】
まず、図１４のスタートは、静音読取モードで印刷を伴わない原稿Ｄの読み取りジョブを開始しようとする時点である。そして、主制御部６は、原稿搬送制御部１０ｂや読取制御部１０ａに指示を与え、静音読取モードでの読み取りを原稿読取部１に行わせる（ステップ♯２１）。具体的に、エンジン制御部２０は、静音読取モード（静音速度）で原稿Ｄの搬送や、画像読取部１ａ内の部材を動作させる。
【０１４２】
次に、原稿搬送制御部１０ｂは、原稿検知センサー１０ｓの出力に基づき、原稿トレイ１１に載置された原稿Ｄのうち、最終ページの原稿Ｄの給紙が開始されているか否かを確認する（ステップ♯２２）。
【０１４３】
一方、最終ページの読み取り（給紙）が開始されているとき（ステップ♯２２のＹｅｓ）、次に給紙される原稿Ｄがないので、本フローは終了する（エンド）。一方、最終ページの読み取り（給紙）が開始されていないとき（ステップ♯２２のＮｏ）、エンジン制御部２０は、現在の読み取りジョブの開始から給紙した原稿Ｄの枚数が基準読取枚数を超えているか否かを確認する（ステップ♯２３）。「基準読取枚数」は、任意に定めることができる値である。例えば、「基準読取枚数」は、１０ページ〜数十ページ程度（１０〜３０ページ）あたりの値に設定され、「基準読取枚数」を示すデータは記憶装置６１や原稿読取部１内のメモリーに記憶される。
【０１４４】
現在の読み取りジョブの開始から給紙した原稿Ｄの枚数が基準読取枚数以下のとき（ステップ♯２３のＮｏ）、フローは、ステップ♯２１に戻る。一方、現在の読み取りジョブの開始から給紙した原稿Ｄの枚数が基準読取枚数を超えているとき（ステップ♯２３のＹｅｓ）、原稿読取部１は、読取速度を静音読取モードから通常読取モードに切り替えて読み取りを行う（ステップ♯２４）。そして、原稿読取部１は、読み取りジョブの完了まで、自動切替後の速度で（通常読取モード）で、読み取りを継続する（エンド）。
【０１４５】
具体的には、原稿Ｄの給紙を一旦停止し、静音読取モードで給紙された最終ページが原稿排出トレイ１３に排出されたとき、原稿読取部１は、通常読取モードで給紙、原稿搬送、走査、読み取りのような読み取り動作を行う。
【０１４６】
用紙搬送やトナー像形成のような印刷動作（印刷ジョブ）を実行していない状態で原稿Ｄの搬送を高速に行うと、原稿搬送に伴い生ずる音が目立ち、使用者にうるさいと不快感を与えやすい。また、画像形成装置（複合機１００）の上部に設けられるので、原稿読取部１から生ずる音は、使用者の耳に近い。そのため、未印刷状態での原稿搬送により生ずる音は、耳に付きやすい傾向がある。一方、印刷ジョブが行われると、給紙や用紙搬送や画像形成のために音が生ずる。そして、印刷部２から生ずる音の方が原稿読取部１から生ずる音よりも大きいので、印刷中、原稿Ｄを高速搬送しても、印刷部２から生ずる音に原稿読取部１から生ずる音（原稿Ｄの読み取りに起因する音）がまぎれ、原稿読取部１から生ずる音が気にならなくなる。
【０１４７】
そこで、本実施形態に係る画像形成装置（複合機１００）は、用紙Ｐを搬送して用紙Ｐに印刷を行う印刷部２と、載置された原稿Ｄを１枚ずつ自動的に搬送する原稿搬送部１ｂを含み、原稿Ｄを読み取って画像データを生成する原稿読取部１と、を備え、原稿読取部１は、予め定められた通常速度で原稿Ｄの読み取りを行う通常読取モードと、通常速度よりも遅い静音速度で原稿Ｄの読み取り行う静音読取モードを有し、原稿搬送部１ｂが搬送する原稿Ｄを読み取って得られた画像データに基づき印刷部２が印刷を行うコピージョブのとき、原稿読取部１は、印刷部２が原稿読み取りで得られた画像データに基づき印刷を開始するまで静音読取モードで原稿Ｄの読み取りを行い、印刷部２が原稿読み取りで得られた画像データに基づき印刷を開始すると、通常読取モードで原稿Ｄの読み取りを行うこととした。
【０１４８】
これにより、原稿Ｄの読取により得られる画像データに基づいて印刷を行うとき、原稿読取部１だけが動作する間、読取速度（原稿搬送速度）を遅くし、原稿読取部１から生ずる音の大きさを抑える。従って、使用者にうるさいと不快感を与えることを避けることができる。一方、原稿読取部１と印刷部２がともに動作する状態となると、読取速度（原稿搬送速度）を早くして（通常に戻して）、生産性を高め、単位時間あたりの読み取り枚数を増加させる。このとき、高速で原稿Ｄを読み取っても、原稿読取部１から生ずる音は、印刷部２から生ずる音にまぎれて耳に付かなくなり、人に聞き取られる音の感じを和らげることができる。従って、コピージョブを行う間を通じて、使用者にうるさいと不快感を与えない。また、原稿読取速度は途中で早くなるので（元に戻されるので）、印刷に間に合うように画像データは生成される。また、静音読取モードのみでコピージョブを行うときに比べ、画像形成装置（複合機１００）全体の生産性（処理能力）は高くなる。
【０１４９】
また、原稿搬送部１ｂが搬送する原稿Ｄを読み取って得られた画像データに基づき印刷部２が印刷を行うコピージョブのとき、原稿読取部１は、原稿Ｄの搬送を開始する時点で先行する印刷を印刷部２が実行していれば、印刷部２が原稿読み取りで得られた画像データに基づき印刷を開始する前でも通常読取モードで通常速度で原稿Ｄを搬送して読み取りを行う。これにより、原稿Ｄの読み取りを開始する時点で、高速で（通常速度で）原稿Ｄの読み取りを行っても、使用者に不快感を与えない。また、原稿Ｄの読み取りに要する時間を短くすることができる。
【０１５０】
感光体ドラムの走査、露光を行うためのポリゴンモーター２４は、高速で回転する。そのため、ポリゴンモーター２４を回転させると、高周波音が生じる。そのため、ポリゴンモーター２４は、使用者にとって耳障りでうるさいと感じさせる音の発生源となり得る。そして、従来、ポリゴンモーター２４は、最終ページが機外に排出されるまで回転させていた（最終ページの排出までポリゴンモーター２４を回転させる駆動信号の入力が続けられていた）。そこで、印刷部２は、感光体ドラムと、画像データに基づき走査、露光を行って感光体ドラムに静電潜像を形成する露光装置５１を含み、トナー像を形成する画像形成部５ａを備え、露光装置５１は、感光体ドラムの走査、露光のためのポリゴンミラー２４ａを回転させるポリゴンモーター２４を含み、ポリゴンモーター２４は、印刷の最終ページの印刷に必要な走査、露光が完了すると、停止し始めることとした。これにより、従来よりも早くポリゴンモーター２４の回転停止を開始することで、画像形成装置（複合機１００）から生ずる音の大きさを抑えることができる。また、使用者にうるさいと不快感を与えないようにすることができる。
【０１５１】
発音部３８から出させる操作音は、原稿読取部１や印刷部２から音が生じていない状態のとき、使用者の耳に付きやすく、うるさいと不快感を与える場合がある。一方で、原稿読取部１や印刷部２がジョブを実行しているとき、発音部３８から出る操作音は、まぎれて耳に付きにくくなる。
【０１５２】
使用者によるタッチ操作による設定操作を受け付け、タッチ操作がなされると操作音を発する発音部３８を含む操作部（操作パネル３）を備え、発音部３８は、原稿読取部１と印刷部２の何れか一方、又は、両方がジョブ実行中の間の操作音を、ジョブを実行していないときよりも大きくすることとした。これにより、ジョブが実行されていないとき、操作音の音量を抑え、使用者に不快感を与えることを防ぐ。一方で、ジョブを実行しているときに大きな操作音を鳴らし、操作音が顕著に聞こえるようにしつつ、使用者にうるさいと不快感を覚えさせない。
【０１５３】
排熱や冷却などの各種の理由により、画像形成装置（複合機１００）には、空気の吸入、排出を行うファン２６が設けられる。そこで、印刷部２は、印刷実行中に回転するファン２６を含み、また、予め定められた通常速度で印刷を実行する通常印刷モードと、通常速度よりも遅い速度で印刷を実行する静音印刷モードを有し、操作部（操作パネル３）は、通常印刷モードで印刷を行うか、静音印刷モードで印刷を行うかのモード設定を受け付け、印刷部２は、モード設定に基づいた速度で印刷を行い、ファン２６は、静音印刷モードで印刷するとき、通常印刷モードで印刷するときよりも早い時点で停止することとした。これにより、静音読取モードで画像形成装置（複合機１００）から生ずる音を更に小さくすることができる。なお、静音読取モードでは、印刷ジョブの実行速度が抑えられるので、発熱も抑えられ、ファン２６を早く停止させても問題は生じない。
【０１５４】
また、操作部（操作パネル３）は、通常印刷モードで印刷を行うか、静音印刷モードで印刷を行うかのモード設定を受け付け、実行待ちのジョブ数があり、印刷すべき残りのページ数が予め定められた基準ページ数をこえたとき、印刷部２は、静音印刷モードで印刷を行うモード設定がなされていても、印刷速度を切り替えて、通常印刷モードで印刷を行うこととした。これにより、実行すべきジョブが溜まり、印刷すべき枚数が多くなり、印刷ジョブ完了までの時間が長くなっている状況のとき、印刷速度が自動的に高速化される。従って、使用者にとって使いやすいように（素早く印刷物を得られるように）、印刷速度が自動的に調整される。
【０１５５】
また、操作部（操作パネル３）は、通常読取モードで読み取りを行うか、静音読取モードで読み取りを行うかのモード設定を受け付け、原稿読取部１は、モード設定に基づいた速度で原稿Ｄを読み取り、印刷を伴わずに静音読取モードで原稿読み取りを行っていて、読み取り開始から連続して給紙した原稿Ｄの枚数が予め定められた基準読取枚数を超えたとき、原稿読取部１は、読取速度を切り替え、通常読取モードで原稿Ｄの読み取りを行うこととした。
これにより、読み取るべき原稿Ｄの枚数が多く、原稿読み取り完了までに時間を要すると推測できるとき、原稿Ｄの読取速度が自動的に高速化される。従って、使用者にとって使いやすいように（素早く原稿Ｄの読み取りが終わるように）、原稿Ｄの読取速度が自動的に調整される。
【０１５６】
原稿Ｄや用紙Ｐの送り出しのとき、ローラーの回転開始や、紙同士の擦れなどにより大きな音が生ずる場合がある。そこで、印刷部２は、用紙Ｐを供給する給紙部４ａを含み、給紙部４ａと原稿搬送部１ｂは、異なるタイミングで用紙Ｐと原稿Ｄの送り出しを開始することとした。これにより、原稿Ｄと用紙Ｐの送り出しが重なり、画像形成装置（複合機１００）から生ずる音が大きくなることを避けることができる。
【０１５７】
本発明の実施形態を説明したが、本発明の範囲はこれに限定されるものではなく、発明の主旨を逸脱しない範囲で種々の変更を加えて実施することができる。
【産業上の利用可能性】
【０１５８】
本発明は、操作パネル３のような操作部と、印刷部２や原稿読み取りを行う原稿読取部１を含む画像形成装置に利用可能である。
【符号の説明】
【０１５９】
１００  複合機（画像形成装置）          １      原稿読取部
１ａ    画像読取部（原稿読取部）        １ｂ    原稿搬送部（原稿読取部）
２      印刷部                          ２４    ポリゴンモーター
２６    ファン                          ３      操作パネル（操作部）
３８    発音部                          ４ａ    給紙部（印刷部）
４ｂ    搬送部（印刷部）                ４ｃ    排出搬送部（印刷部）
４ｄ    両面搬送部（印刷部）            ５ａ    画像形成部（印刷部）
５１    露光装置                        ５ｂ    中間転写部（印刷部）
５ｃ    定着部（印刷部）                Ｄ      原稿
Ｐ      用紙
【図１】
2014216856.tif 000003
【図２】
2014216856.tif 000004
【図４】
2014216856.tif 000005
【図５】
2014216856.tif 000006
【図６】
2014216856.tif 000007
【図７】
2014216856.tif 000008
【図８】
2014216856.tif 000009
【図９】
2014216856.tif 000010
【図１０】
2014216856.tif 000011
【図１１】
2014216856.tif 000012
【図１２】
2014216856.tif 000013
【図１３】
2014216856.tif 000014
【図１４】
2014216856.tif 000015
【図３】
2014216856.tif 000016